(57)【要約】【課題】炉心溶融物冷却装置内の冷却流路の冷却水中にナノ粒子を沈殿や堆積が生じないように供給する【解決手段】炉心溶融物冷却装置７は、断熱材４２と冷却流路天板９３とからなる堆積床を有している。堆積床の上面は、炉心溶融物４１が堆積する堆積面である。堆積床の下方には、冷却流路４３が形成されている。堆積床の冷却流路４３に面する側すなわち冷却流路天板９３の少なくとも一部は、ナノ粒子を含有する多孔質材料で形成されている。炉心溶融物４１が落下した際に、冷却流路天板９３で沸騰が生じると、それに伴って、多孔質材料の孔に含有されたナノ粒子が冷却水中に放出される。【選択図】図１
2012032276.tif 000002
【特許請求の範囲】
【請求項１】
原子炉圧力容器下方に設けられて上に向かう堆積面とその堆積面の下方の冷却流路とを仕切る堆積床を有し、前記堆積床の前記冷却流路に面する側の少なくとも一部がナノ粒子を空隙に保持する多孔質材料で形成されていることを特徴とする炉心溶融物冷却装置。
【請求項２】
原子炉圧力容器下方に設けられて上に向かう堆積面とその堆積面の下方の冷却流路とを仕切る堆積床と、
前記冷却流路中に配置されてナノ粒子を収納したナノ粒子保持容器と、
を有し、前記ナノ粒子保持容器が冷却水に浸漬されると前記容器内のナノ粒子が冷却水中に放出されることを特徴とする炉心溶融物冷却装置。
【請求項３】
前記ナノ粒子保持容器は水溶性素材で形成されていることを特徴とする請求項２に記載の炉心溶融物冷却装置。
【請求項４】
前記ナノ粒子保持容器は冷却水に浸漬されると浮力で開放する蓋を備えることを特徴とする請求項２に記載の炉心溶融物冷却装置。
【請求項５】
原子炉圧力容器下方に設けられて上に向かう堆積面とその堆積面の下方の冷却流路とを仕切る堆積床と、
前記堆積面上に配置されてナノ粒子を収納したナノ粒子保持容器と、
を有することを特徴とする炉心溶融物冷却装置。
【請求項６】
前記ナノ粒子保持容器はプラスチック、低融点金属および樹脂のいずれかで形成されていることを特徴とする請求項５に記載の炉心溶融物冷却装置。
【請求項７】
前記ナノ粒子保持容器は複数であって、隙間なく配置されていることを特徴とする請求項６に記載の炉心溶融物冷却装置。
【請求項８】
前記ナノ粒子保持容器は、内圧が所定の値を超えると開放する蓋を備えていることを特徴とする請求項５ないし請求項７のいずれか１項に記載の炉心溶融物冷却装置。
【請求項９】
ペデスタル床と、
前記ペデスタル床から立ち上がり原子炉圧力容器を支持するペデスタル側壁と、
前記ペデスタル床上に設けられて、上に向かう堆積面とその堆積面の下方の冷却流路とを仕切る堆積床を備えて、前記堆積床の前記冷却流路に面する側の少なくとも一部がナノ粒子を空隙に保持する多孔質材料で形成されている炉心溶融物冷却装置と、
を有することを特徴とする格納容器。
【請求項１０】
ペデスタル床と、
前記ペデスタル床から立ち上がり原子炉圧力容器を支持するペデスタル側壁と、
前記ペデスタル床上に設けられて、上に向かう堆積面とその堆積面の下方の冷却流路とを仕切る堆積床と、前記冷却流路中に配置されてナノ粒子を収納したナノ粒子保持容器と、を備えて、前記ナノ粒子保持容器が冷却水に浸漬されると前記容器内のナノ粒子が冷却水中に放出される炉心溶融物冷却装置と、
を有することを特徴とする格納容器。
【請求項１１】
ペデスタル床と、
前記ペデスタル床から立ち上がり原子炉圧力容器を支持するペデスタル側壁と、
前記ペデスタル床上に設けられて、上に向かう堆積面とその堆積面の下方の冷却流路とを仕切る堆積床と、前記堆積面上に配置されてナノ粒子を収納したナノ粒子保持容器と、を備えた炉心溶融物冷却装置と、
を有することを特徴とする格納容器。
【発明の詳細な説明】
【技術分野】
【０００１】
本発明は、炉心溶融物冷却装置および格納容器に関する。
【背景技術】
【０００２】
水冷却型原子炉では、原子炉圧力容器内への給水停止や、配管異常により冷却水が喪失すると、冷却に十分な原子炉水位が保たれない可能性がある。この事態を想定し、水位低下により自動的に原子炉は非常停止され、非常用炉心冷却系による冷却材の注入によって炉心を冠水させて冷却し、炉心溶融事故を未然に防ぐようになっている。
【０００３】
しかし、非常用炉心冷却系およびその他の炉心への注水装置も利用できない事態も想定される。このような場合、原子炉停止後も発生し続ける崩壊熱によって燃料棒温度が上昇し、最終的には炉心溶融に至る可能性がある。
【０００４】
高温の炉心溶融物は、原子炉圧力容器下鏡を溶融貫通して、格納容器内の床上に落下する。炉心溶融物によって格納容器床コンクリートが高温状態になると、非凝縮性ガスが大量に発生し、コンクリートが溶融浸食される。発生した非凝縮性ガスは、格納容器内の圧力を高め、原子炉格納容器を破損させる可能性がある。また、コンクリートの溶融浸食によって格納容器バウンダリが破損し、格納容器構造強度が低下する可能性がある。この反応が継続すると格納容器破損に至り、格納容器内の放射性物質が外部環境に放出するおそれがある。
【０００５】
炉心溶融物とコンクリートの反応抑制のためには、炉心溶融物を冷却してコリウム底部のコンクリートとの接触面の温度を浸食温度以下（一般的なコンクリートで１５００Ｋ以下）に保つか、炉心溶融物とコンクリートとが直接接触しないようにする必要がある。炉心溶融物が落下した場合への代表的な対策設備として、コアキャッチャーが挙げられる。これは、落下した炉心溶融物を耐熱材で受け止めて、注水手段と組み合わせて炉心溶融物の冷却を図る設備である。
【０００６】
原子炉格納容器床に落下した炉心溶融物の上面に冷却水を注水しても、炉心溶融物の底部での除熱量が小さいと、崩壊熱によって炉心溶融物底部の温度が高温のまま維持され、格納容器床のコンクリートの侵食を止めることができない。そこで、炉心溶融物を底面から冷却するという方法がある。
【０００７】
炉心溶融物を冷却する冷却水には、高い冷却性能が求められる。冷却性能を向上させるために、たとえば冷却水に金属などの固体粒子を含有、分散させる技術が知られている。このように冷却水に粒子を分散させることで、その熱伝導率はそれら粒子を含まない媒体そのものの熱伝導率に比べて高められる。また、冷却水中に含有させる粒子として、ナノスケールサイズの微粒子を分散させることにより、同冷却水を使用した沸騰試験において熱伝達率や限界熱流束が飛躍的に高められることが確認されている。
【０００８】
こうした微粒子を媒体中に分散させる方法についても報告されている。具体的には、微粒子をそのまま媒体中に分散させる方法や、同微粒子の表面に界面活性剤を付着させることで媒体中に粒子をより安定に分散させる方法、同微粒子および媒体中に分散剤を添加することにより安定に分散させる方法などがある。
【先行技術文献】
【特許文献】
【０００９】
【特許文献１】特開２００９−４７６３７号公報
【特許文献２】特開２００７−２６２３０２号公報
【発明の概要】
【発明が解決しようとする課題】
【００１０】
炉心溶融物からの熱は、耐熱材を介して炉心溶融物堆積床面の下方に設けられた冷却水流路の水に伝えられる。冷却流路の水は加熱され沸騰が始まり、伝熱面に傾斜をつけ発生したボイドを速やかに放射状に配置された冷却流路から排出される。沸騰で発生した蒸気泡は、冷却流路を上方に流れ、最終的には炉心溶融物上面プールへ流出する。冷却流路での沸騰によって、炉心溶融物上面プールそして冷却流路への自然循環が生じる。これにより、冷却が継続し、デブリが確実に保持される。
【００１１】
冷却チャネルの限界熱流束が高ければ安全裕度を増すことができる。ナノ流体を冷却水中に混入させることにより限界熱流速の向上が可能である。しかし、ナノ粒子が沈殿や堆積などによって、冷却水中に分散されないと、ナノ流体の効果が得られない。
【００１２】
そこで、本発明は、炉心溶融物冷却装置内の冷却流路の冷却水中にナノ粒子を沈殿や堆積が生じないように供給することを目的とする。
【課題を解決するための手段】
【００１３】
上述の目的を達成するため、本発明は、炉心溶融物冷却装置において、原子炉圧力容器下方に設けられて上に向かう堆積面とその堆積面の下方の冷却流路とを仕切る堆積床を有し、前記堆積床の前記冷却流路に面する側の少なくとも一部がナノ粒子を空隙に保持する多孔質材料で形成されていることを特徴とする。
【００１４】
また、本発明は、炉心溶融物冷却装置において、原子炉圧力容器下方に設けられて上に向かう堆積面とその堆積面の下方の冷却流路とを仕切る堆積床と、前記冷却流路中に配置されてナノ粒子を収納した容器と、を有し、前記容器が冷却水に浸漬されると前記容器内のナノ粒子が冷却水中に放出されることを特徴とする。
【００１５】
また、本発明は、炉心溶融物冷却装置において、原子炉圧力容器下方に設けられて上に向かう堆積面とその堆積面の下方の冷却流路とを仕切る堆積床と、前記堆積面上に配置されてナノ粒子を収納した容器と、を有することを特徴とする。
【００１６】
また、本発明は、格納容器において、ペデスタル床と、前記ペデスタル床から立ち上がり原子炉圧力容器を支持するペデスタル側壁と、前記ペデスタル床上に設けられて、上に向かう堆積面とその堆積面の下方の冷却流路とを仕切る堆積床を備えて、前記堆積床の前記冷却流路に面する側の少なくとも一部がナノ粒子を空隙に保持する多孔質材料で形成されている炉心溶融物冷却装置と、を有することを特徴とする。
【００１７】
また、本発明は、格納容器において、ペデスタル床と、前記ペデスタル床から立ち上がり原子炉圧力容器を支持するペデスタル側壁と、前記ペデスタル床上に設けられて、上に向かう堆積面とその堆積面の下方の冷却流路とを仕切る堆積床と、前記冷却流路中に配置されてナノ粒子を収納した容器と、を備えて、前記容器が冷却水に浸漬されると前記容器内のナノ粒子が冷却水中に放出される炉心溶融物冷却装置と、を有することを特徴とする。
【００１８】
また、本発明は、格納容器において、ペデスタル床と、前記ペデスタル床から立ち上がり原子炉圧力容器を支持するペデスタル側壁と、前記ペデスタル床上に設けられて、上に向かう堆積面とその堆積面の下方の冷却流路とを仕切る堆積床と、前記堆積面上に配置されてナノ粒子を収納した容器と、を備えた炉心溶融物冷却装置と、を有することを特徴とする。
【発明の効果】
【００１９】
本発明によれば、炉心溶融物冷却装置内の冷却流路の冷却水中にナノ粒子を沈殿や堆積が生じないように供給することができる。
【図面の簡単な説明】
【００２０】
【図１】本発明に係る炉心溶融物冷却装置の第１の実施の形態の近傍の立断面図である。
【図２】本発明に係る炉心溶融物冷却装置の第１の実施の形態を収容した格納容器の立断面図である。
【図３】本発明に係る炉心溶融物冷却装置の第２の実施の形態の近傍の立断面図である。
【図４】本発明に係る炉心溶融物冷却装置の第２の実施の形態におけるナノ流体を封入する容器の斜視図である。
【図５】本発明に係る炉心溶融物冷却装置の第２の実施の形態の一変形例におけるナノ流体を封入する容器の斜視図である。
【図６】本発明に係る炉心溶融物冷却装置の第３の実施の形態の近傍の立断面図である。
【図７】本発明に係る炉心溶融物冷却装置の第４の実施の形態の近傍の立断面図である。
【発明を実施するための形態】
【００２１】
本発明に係る炉心溶融物冷却装置の実施の形態を、図面を参照して説明する。なお、同一または類似の構成には同一の符号を付し、重複する説明は省略する。
【００２２】
［第１の実施の形態］
図２は、本発明に係る炉心溶融物冷却装置の第１の実施の形態を収容した格納容器の立断面図である。
【００２３】
炉心１０は、原子炉圧力容器１の内部に収められている。原子炉圧力容器１は、格納容器２の内部に設けられている。格納容器２は、ペデスタル床１５およびペデスタル床１５から上方に延びる円筒状のペデスタル側壁１６を有している。
【００２４】
原子炉圧力容器１は、ペデスタル側壁１６に支持されている。原子炉圧力容器１の下方のペデスタル床１５およびペデスタル側壁１６で囲まれる空間は下部ドライウェル１３と呼ばれる。つまり、原子炉圧力容器１は、下部ドライウェル１３の上方に設けられている。また、格納容器２の内部には、ペデスタル側壁１６の外周面を取り囲むように、圧力抑制プール４が形成されている。原子炉圧力容器１の下方の下部ドライウェル１３には、炉心溶融物冷却装置（コアキャッチャー）７が設けられている。
【００２５】
また、格納容器２は、水槽５を有している。水槽５から炉心溶融物冷却装置７には、注水配管８が延びている。注水配管８の途中には、注入弁４０が設けられている。さらに、格納容器２は、格納容器冷却器６を有している。格納容器冷却器６は、ドライウェルに開口した端部から水中に沈められた熱交換器を通って水槽５に延びる配管を有している。格納容器冷却器６とは、静的格納容器冷却設備やドライウェルクーラーなどである。
【００２６】
図１は、本実施の形態における炉心溶融物冷却装置の近傍の立断面図である。なお、図１には、原子炉圧力容器１の下部ヘッド３を貫通して炉心溶融物冷却装置７に炉心溶融物４１が落下し、冷却水が供給された状態を示している。
【００２７】
炉心溶融物冷却装置７は、ペデスタル床１５の上に設置されている。炉心溶融物冷却装置７は、支持台９１、冷却流路底板９２、冷却流路天板９３および断熱材４２を有している。支持台９１の上面は、上に開いた円錐状に形成されている。支持台９１の中央部には、円柱状の空隙が形成されている。支持台９１の中央部の空隙は、給水容器４４となっている。
【００２８】
冷却流路底板９２は、上に開いた円錐状に形成されていて、支持台９１の上面に載置されている。冷却流路底板９２の外縁は鉛直方向に立ち上がっている。
【００２９】
冷却流路天板９３は、上に開いた円錐状に形成され、冷却流路底板９２に対して間隔を置いて配置されている。冷却流路天板９３の外縁は鉛直方向に立ち上がっている。冷却流路底板９２と冷却流路天板９３との間は、給水容器４４から上に開いた出口開口８１まで延びる冷却流路４３となっている。冷却流路天板９３は全体として上に開いた保持容器となっていて、その内面には断熱材４２が敷設されている。
【００３０】
冷却流路天板９３の少なくとも一部は、多孔質の材料で形成されている。冷却流路天板９３の多孔質材料で形成されている部分には、表面に連通した孔にナノ粒子が含有されている。ナノ粒子とは、ナノスケール、すなわち、大きさが数ナノメートル程度の金属などの固体粒子である。
【００３１】
ナノ粒子は、ナノ粒子そのものとして、あるいはナノ粒子を含有した流体（ナノ流体）として多孔質の空隙に保持されている。ナノ粒子を含有させる流体は、水あるいはイオン流体などである。冷却流路４３に冷却水がない通常の場合であっても、ナノ流体は、多孔質材料の孔の毛管力により保持され、多孔質からナノ流体が落下することはない。また、ナノ粒子を含有させる流体としてイオン液体を使用すると、流体の蒸発が抑制される。
【００３２】
冷却流路底板９２の外縁で立ち上がっている部分は、ペデスタル側壁１６の内面と空隙を挟んで設けられている。冷却流路底板９２の外縁で立ち上がっている部分とペデスタル側壁１６の内面との間は、入口開口８２から下方に延びる給水流路鉛直部４６となっている。給水流路鉛直部４６の下端から給水容器４４までは、給水流路水平部４７が延びている。冷却流路底板９２および冷却流路天板９３は、たとえば鉛直方向に投影した形状が扇形の中空の構造体を、給水容器４４の周りに密に並べることによって形成することができる。
【００３３】
炉心溶融事故が発生し、炉心溶融物４１が原子炉圧力容器１の下部ヘッド３を貫通すると、炉心溶融物冷却装置７の断熱材４２上に落下する。つまり、本実施の形態の炉心溶融物冷却装置７において、断熱材４２の上面は、原子炉圧力容器１の下方に設けられて炉心溶融物４１が堆積する堆積面となっている。炉心溶融物が落下すると、注入弁４０は、原子炉圧力容器の下部ヘッド３の破損を検知する信号により開放される。下部ヘッド３の破損を検知する信号とは、たとえば下部ヘッド温度高やペデスタル雰囲気温度高を示す信号である。
【００３４】
その結果、注水配管８を介して水槽５から冷却水が炉心溶融物冷却装置７に供給される。炉心溶融物冷却装置７に供給される冷却水は、ペデスタル側壁１６に開いた注水配管出口孔８３から流れ出す。注水配管出口孔８３から流れ出た冷却水は、給水流路水平部４７を通って、給水容器４４に供給される。さらに、給水容器４４から冷却流路４３に冷却水が分配される。
【００３５】
高温の炉心溶融物４１の熱は断熱材４２に伝わり、さらに冷却流路４３の壁を介して冷却水に伝えられる。炉心溶融物４１の熱が伝達されることにより、冷却流路４３を流れる冷却水は、いずれ沸騰する。
【００３６】
給水容器４４から供給された冷却水は、冷却流路４３を通って上昇し、外周に位置する出口開口８１から溢れ出る。出口開口８１から溢れ出た冷却水の大部分は、炉心溶融物冷却装置７の炉心溶融物４１を保持する保持容器に流れ込む。出口開口８１から冷却流路４３を出た冷却水は、断熱材４２の上に溢水し、炉心溶融物の上に水プール４５を形成する。この水プール４５を形成した冷却水は、炉心溶融物４１の表面で沸騰し、炉心溶融物４１を冷却する。このように、冷却流路４３での沸騰と、炉心溶融物４１の表面の沸騰の両方によって、炉心溶融物４１は冷却される。
【００３７】
給水容器４４への初期の給水は、炉心溶融物冷却装置７より上方に設置された水槽５に貯えられた水を重力落下させることにより注水配管８を介して行われる。初期注水が終了すると、炉心溶融物冷却装置７は冠水する。炉心溶融物冷却装置７を冠水させた冷却水は、冷却流路４３での沸騰により生じる自然循環によって、給水流路４６，４７を介して給水容器４４に供給される。
【００３８】
炉心溶融物を冷却することにより生じた蒸気は、格納容器２の上部の格納容器冷却器６で凝縮されて、水槽５に戻される。水槽５に戻された蒸気を凝縮した冷却水は、再び炉心溶融物４１の冷却に用いられるようになっており、水が自然循環することによって炉心溶融物４１の冷却が継続される。
【００３９】
冷却流路４３の上面すなわち伝熱面は傾いている。このため、冷却流路４３内での沸騰により生じた蒸気泡は、浮力により伝熱面から離脱しやすい。その結果、良好な熱伝達率が得られる。
【００４０】
断熱材４２の融点は、たとえばＺｒＯ２を用いた場合には約２４００℃程度なので、炉心溶融物４１の温度（平均的には２２００℃程度）よりも高く、溶融するおそれは小さい。また、断熱材４２を配設することにより、炉心溶融物４１が直接、冷却流路４３を形成する構造体の壁に接触せず、また、断熱材４２の熱抵抗によって熱流束が抑えられるため冷却流路４３を形成する構造体の壁が破損するおそれも小さい。
【００４１】
このように、本実施の形態の炉心溶融物冷却装置７によって、効果的に炉心溶融物の温度を下げることができ、炉心溶融物は炉心溶融物冷却装置７の内部に安定的に保持される。
【００４２】
本実施の形態では、炉心溶融物４１が堆積する堆積面である断熱材４２の上面と、その下方に設けられた冷却流路４３との間を仕切る堆積床として、断熱材４２および冷却流路天板９３を有している。この堆積床の冷却流路４３に面する側、すなわち冷却流路天板９３の少なくとも一部は、ナノ粒子を含有する多孔質材料で形成されている。このため、このような事故が発生した際、冷却流路４３の伝熱面で炉心溶融物４１の熱により沸騰が生じると、冷却流路天板９３の多孔質材料に含有されたナノ粒子は、沸騰蒸気とともに多孔質から排出される。その結果、ナノ粒子が冷却流路４３の冷却水中に均一に混入する。このように、シビアアクシデント時に電源や運転員の操作なしでも炉心溶融物４１の落下に伴って冷却水中にナノ流体を供給することができる。
【００４３】
ナノスケールの粒子を含むナノ流体は、限界熱流束を向上させる。つまり、炉心溶融物冷却装置７での炉心溶融物４１の冷却性能が向上する。ナノ流体は、予め伝熱面近傍に配置されている。このため、炉心溶融物冷却装置７内の冷却流路４３の冷却水中にナノ粒子を沈殿や堆積が生じないように供給することができる。つまり、ナノ流体供給経路におけるナノ粒子の沈殿、付着などによるナノ流体の効果の低減を防ぐことができる。
【００４４】
［第２の実施の形態］
図３は、本発明に係る炉心溶融物冷却装置の第２の実施の形態の近傍の立断面図である。
【００４５】
本実施の形態の炉心溶融物冷却装置７は、ナノ流体５１を封入したナノ粒子保持容器５２を有している。ナノ流体５１を封入した１個あるいは複数個のナノ粒子保持容器５２は、給水容器４４内に配置される。ナノ流体５１の代わりに、ナノ粒子そのものをナノ粒子保持容器５２に封入してもよい。
【００４６】
図４は、本実施の形態におけるナノ流体を封入する容器の斜視図である。
【００４７】
このナノ粒子保持容器５２は、上面に水よりも軽い蓋５３が設けられている。よって、ナノ粒子保持容器５２が浸漬されると、蓋５３が浮力によって開き、内部のナノ流体５１が冷却水中に放出される。この蓋５３は、たとえば密度が０．９０〜０．９１ｇ／ｃｍ２のポリプロピレンで形成される。ナノ粒子保持容器５２中にナノ粒子のみを封入していた場合であっても、蓋５３が浮力によって開き、ナノ粒子保持容器５２中に水が浸入することによって、その水中にナノ粒子が分散し、ナノ粒子保持容器５２の外部に放出される。
【００４８】
図５は、本実施の形態の一変形例におけるナノ流体を封入する容器の斜視図である。
【００４９】
この変形例では、ナノ流体５１を封入したナノ粒子保持容器５２の蓋５３に、浮き５４を取り付けている。この浮き５４は、たとえば中空に形成されている。その結果、蓋５３全体として水よりも密度が小さくなっている。
【００５０】
このようなナノ粒子保持容器５２にナノ流体５１を封入した場合であっても、ナノ粒子保持容器５２が水中に浸漬されると、蓋５３が浮力によって開き、内部のナノ流体５１が冷却水中に放出される。
【００５１】
本実施の形態でも、事故発生時には、冷却水を供給する水槽から炉心溶融物冷却装置７へ冷却水が供給され、注水がなされると、ナノ粒子を含有した流体、あるいはナノ粒子が人の手をなんら借りることなく、あるいは電気信号も用いずに冷却水に混入される。
【００５２】
また、ナノ流体は、給水容器４４に配置されている。このため、給水容器４４から延びる冷却流路４３の冷却水中にナノ粒子を沈殿や堆積が生じないように供給することができる。つまり、ナノ流体供給経路におけるナノ粒子の沈殿、付着などによるナノ流体の効果の低減を防ぐことができる。また、ナノ流体あるいはナノ粒子をナノ粒子保持容器５２内に保持しておくことによって、通常運転時の環境条件によるナノ流体５１あるいはナノ粒子の劣化および飛散を防止することができる。なお、環境条件による劣化が無く、飛散するような空気の流れがない場合には、ナノ粒子を容器に保持することなく、炉心溶融物冷却装置７の冷却流路４３に直接配置することもできる。
【００５３】
また、ナノ粒子を封入したナノ粒子保持容器５２を水溶性素材で形成してもよい。この場合であっても、ナノ粒子保持容器５２が冷却水中に浸漬されると、ナノ粒子保持容器５２が冷却水に溶けることによって、内部のナノ粒子が外部に放出される。
【００５４】
［第３の実施の形態］
図６は、本発明に係る炉心溶融物冷却装置の第３の実施の形態の近傍の立断面図である。
【００５５】
本実施の形態の炉心溶融物冷却装置７は、ナノ流体５１を封入した水槽６２を有している。ナノ流体５１を封入した１個あるいは複数個の水槽６２は、断熱材４２上に配置される。ナノ流体５１の代わりに、ナノ粒子そのものを水槽６２に封入してもよい。ナノ流体５１を封入した水槽６２は、プラスチック、低融点の金属あるいは樹脂で形成される。ここで、低融点の金属とは、融点が炉心溶融物４１（図１参照）の温度に比べて低い金属のことである。この水槽６２は、断熱材４２上面で複数に分割されたユニットとして隙間なく配置される。
【００５６】
本実施の形態でも、事故発生時には、冷却水を供給する水槽から炉心溶融物冷却装置７へ冷却水が供給される。また、炉心溶融物４１が炉心溶融物冷却装置７上に落下すると、ナノ流体５１を封入した水槽６２は伝導熱あるいはふく射熱により溶融する。これに伴って、水槽６２に封入されたナノ粒子は、水槽６２の外部に放出される。つまり、事故発生時には、ナノ粒子が人の手をなんら借りることなく、あるいは電気信号も用いずに冷却水に混入される。ナノ粒子が混入した冷却水は、自然循環によって入口開口８２から給水流路４６，４７に流入し、給水容器４４を経て、冷却流路４３に流入する。
【００５７】
本実施の形態では、ナノ流体５１が炉心溶融物冷却装置７上に配置されているため、ナノ流体の供給経路におけるナノ粒子の沈殿、付着などによるナノ流体の効果の低減を防ぐことができる。また、ナノ流体５１を封入した水槽６２を複数に分割されたユニットとして隙間なく配置することで、炉心溶融物４１の落下時のジェット侵食から断熱材４２が保護されるとともに、製作・施工が容易となる。
【００５８】
［第４の実施の形態］
図７は、本発明に係る炉心溶融物冷却装置の第４の実施の形態の近傍の立断面図である。
【００５９】
本実施の形態の炉心溶融物冷却装置７は、ナノ流体５１を封入したナノ粒子保持容器７１を有している。このナノ粒子保持容器７１は、断熱材４２の上面に配置されている。また、ナノ粒子保持容器７１には、内圧が所定の値を超えると開放される蓋７２が設けられている。
【００６０】
このナノ流体５１を封入したナノ粒子保持容器７１は、たとえば断熱材４２の上面の上方に間隔を置いて設けられた仕切りを備えていて、この仕切りと断熱材４２との間がナノ流体５１を封入する空間となっている。また、この仕切りの外縁部分と断熱材４２との間に、蓋７２が設けられている。
【００６１】
本実施の形態でも、事故発生時には、冷却水を供給する水槽から炉心溶融物冷却装置７へ冷却水が供給される。また、落下した炉心溶融物４１（図１参照）は、ナノ流体５１を封入した容器７１で受けとめられる。炉心溶融物４１落下時の衝撃によって、あるいは炉心溶融物４１から伝達される熱によってナノ粒子保持容器７１の内圧が上昇すると、ナノ粒子保持容器７１外周部の蓋７２が開放される。その結果、ナノ粒子保持容器７１の内部のナノ粒子を含有した流体が、人の手をなんら借りることなく、あるいは電気信号も用いずに噴出し、冷却水に混入される。ナノ粒子が混入した冷却水は、自然循環によって入口開口８２から給水流路４６，４７に流入し、給水容器４４を経て、冷却流路４３に流入する。
【００６２】
本実施の形態では、ナノ流体５１が炉心溶融物冷却装置７上に配置されているため、ナノ流体の供給経路におけるナノ粒子の沈殿、付着などによるナノ流体の効果の低減を防ぐことができる。また、炉心溶融物４１を流体層によって受け止めることで炉心溶融物落下の衝撃を低減することができる。
【００６３】
［他の実施の形態］
上述の各実施の形態は単なる例示であり、本発明はこれらに限定されない。また、各実施の形態の特徴を組み合わせて実施することもできる。
【符号の説明】
【００６４】
１…原子炉圧力容器、２…格納容器、３…下部ヘッド、４…圧力抑制プール、５…水槽、６…格納容器冷却器、７…炉心溶融物冷却装置、８…注水配管、１０…炉心、１３…下部ドライウェル、１５…ペデスタル床、１６…ペデスタル側壁、４０…注入弁、４１…炉心溶融物、４２…断熱材、４３…冷却流路、４４…給水容器、４５…水プール、４６…給水流路鉛直部、４７…給水流路水平部、５１…ナノ流体、５２…ナノ粒子保持容器、５３…蓋、５４…浮き、６２…水槽、７１…ナノ粒子保持容器、７２…蓋、８１…出口開口、８２…入口開口、８３…注水配管出口孔、９１…支持台、９２…冷却流路底板、９３…冷却流路天板
【図１】
2012032276.tif 000003
【図２】
2012032276.tif 000004
【図３】
2012032276.tif 000005
【図４】
2012032276.tif 000006
【図５】
2012032276.tif 000007
【図６】
2012032276.tif 000008
【図７】
2012032276.tif 000009